(57)【要約】【課題】  微細な粒子の分離除去が可能であると共に、目詰まりがし難くて集水効率の高い雨水分離集水装置を提供する。【解決手段】  建物の雨樋に下方へ排水する縦樋が設けられ、前記縦樋に横方向に延びる集水器９が設けられていると共に、前記縦樋から前記集水器９を介して流下する雨水Ｗを貯留する貯水タンクが設けられた雨水分離集水装置において、前記集水器９は、前記縦樋に連通すると共に横方向に延び且つフィルタ部２０を有する内筒２１と、前記内筒２１を覆う外筒２２を備えると共に、前記内筒２１及び外筒２２との間に形成され且つ前記貯水タンクに連通する円筒状の集水空間２５を有している。【選択図】                図３
2006104851.tif 000002
【特許請求の範囲】
【請求項１】
建物の雨樋から排水する縦樋が設けられ、前記縦樋から集水部を介して流下する雨水を貯留する貯水タンクが設けられた雨水分離集水装置において、
前記集水部は、前記縦樋に連通すると共に横方向に延び且つフィルタ部を有する内筒と、前記内筒を覆う外筒を備えると共に、前記内筒及び外筒との間に形成され且つ前記貯水タンクに接続される集水管に連通する円筒状の集水空間を有し、下流側部は排水管に接続されていることを特徴とする雨水分離集水装置。
【請求項２】
前記内筒はウェッジワイヤを卷回して所定幅のスリットが形成されたフィルタ筒であることを特徴とする請求項１に記載の雨水分離集水装置。
【請求項３】
前記ウェッジワイヤの内周面は、上流側の角隅部が下流側の角隅部よりも高く位置されていることを特徴とする請求項２に記載の雨水分離集水装置。
【請求項４】
前記フィルタ筒の下流側部は不透水性部で閉塞されていることを特徴とする請求項２又は３に記載の雨水分離集水装置。
【請求項５】
前記内筒は、少なくとも下流側部が不透水性部材により閉塞された半円筒状のフィルタ部を下部側に有することを特徴とする請求項２又は３に記載の雨水分離集水装置。
【発明の詳細な説明】
【技術分野】
【０００１】
本発明は、建物の縦樋から流れる雨水中の塵埃を分離除去して、雨水を再利用するための雨水分離集水装置に関するものである。
【背景技術】
【０００２】
近年、水資源の有効利用に対する意識の高まりや水不足に対する配慮から、建物の屋根に降水する雨水の有効利用が広まっている。この雨水の集水は、縦樋から雨水貯水タンク等の途中に集水器を配置して、雨水中の塵埃を分離除去して行われる。
【０００３】
従来のこの種の集水器として、縦樋の途中に逆円錐形状（すり鉢状）の濾過部材を配置して、縦樋内を流れる雨水から塵埃を除去すると共に、この濾過部で濾過されてその周囲から雨水溜めに排出される雨水（清浄水）を貯水タンクに貯留するものが知られている（例えば、特許文献１参照）。
【０００４】
また、別の例の集水器として、縦樋に形成された横引き配管部の一部を開口して粗目スクリーンを配置すると共に、この粗目スクリーンから濾過集水された雨水をＵ字状の濾過タンクの一方の上部から貯留し、濾過タンクの他方の上部から細目スクリーンを介して塵埃を分離除去された清浄水を貯水タンクに貯留するものが知られている（例えば、特許文献２参照）。
【特許文献１】特開２００２−７００８６号公報
【特許文献２】実用新案登録  第３０６６４３１号公報
【発明の開示】
【発明が解決しようとする課題】
【０００５】
しかしながら、逆円錐形状の濾過部材により雨水の塵埃を分離除去して集水する集水器においては、微細な粒子の分離除去ができないと共に、濾過部材に蓄積される粗目の塵埃により目詰まりを生じて集水効率が上がらないという問題があった。
【０００６】
また、Ｕ字状の濾過タンクから細目スクリーンを介して清浄水を集水する集水器においては、粗目の塵埃は分離除去できるが、細目スクリーンでは微細な粒子の分離除去はできないと共に、横引き配管の一部から集水しているため集水効率が上がらないという問題があった。
【０００７】
本発明は、微細な粒子の分離除去が可能であると共に、目詰まりがし難くて集水効率の高い雨水分離集水装置を提供することを目的とするものである。
【課題を解決するための手段】
【０００８】
本発明は、上述事情に鑑みなされたものであって、請求項１に記載の発明は、建物の雨樋から排水する縦樋が設けられ、前記縦樋から集水部を介して流下する雨水を貯留する貯水タンクが設けられた雨水分離集水装置において、前記集水部は、前記縦樋に連通すると共に横方向に延び且つフィルタ部を有する内筒と、前記内筒を覆う外筒を備えると共に、前記内筒及び外筒との間に形成され且つ前記貯水タンクに接続される集水管に連通する円筒状の集水空間を有し、下流側部は排水管に接続されていることを特徴としている。
【０００９】
また、請求項２に記載の発明は、前記内筒はウェッジワイヤを卷回して所定幅のスリットが形成されたフィルタ筒であることを特徴としている。
【００１０】
また、請求項３に記載の発明は、前記ウェッジワイヤの内周面は、上流側の角隅部が下流側の角隅部よりも高く位置されていることを特徴としている。
【００１１】
また、請求項４に記載の発明は、前記フィルタ筒の下流側部は不透水性部で閉塞されていることを特徴としている。
【００１２】
また、請求項５に記載の発明は、前記内筒は、少なくとも下流側部が不透水性部材により閉塞された半円筒状のフィルタ部を下部側に有することを特徴としている。
【発明の効果】
【００１３】
請求項１に係わる発明によれば、縦樋に連通すると共に横方向に延び且つフィルタ部を有する内筒と、この内筒を覆う外筒を備えると共に、内筒及び外筒との間に形成され且つ前記貯水タンクに連通する２重構造の円筒状の集水空間を備えるので、雨水の塵埃を内筒により効率的に分離除去して雨水を集水空間に集水して雨水の集水効率を高めることができる。
【００１４】
また、請求項２に係わる発明によれば、内筒はウェッジワイヤを卷回して所定幅のスリットが形成されたフィルタ筒であるので、塵埃を分離除去した雨水（清浄水）を効率的に集水することができる。
【００１５】
また、請求項３に係わる発明によれば、ウェッジワイヤの内周面は、上流側の角隅部が下流側の角隅部よりも高く位置させたので、各ウェッジワイヤの内周面には下流側の位置において内側に突出している段部を形成することができる。そして、ウェッジワイヤの内周面を流れる雨水が段部に当たって流れ方向を変えることにより、雨水中の微細粒子が舞い上がるため、ウェッジワイヤの目開き内に微細粒子が詰まるような目詰まりを防止することができると共に、雨水分離集水装置のメンテナンスを略不必要とすることができる。
【００１６】
また、請求項４に係わる発明によれば、フィルタ筒の下流側部は不透水部で閉塞されているので、内筒により濾過されて集水空間の下流側に貯留している清浄水が内筒を介して内筒内に逆流するのが防止できて、雨水の集水効率を高めることができる。
【００１７】
また、請求項５に係わる発明によれば、内筒は少なくとも下流側部が閉塞された半円筒状のフィルタ部を下部側に有するので、半円筒状のフィルタ部で雨水の塵埃を分離除去できると共に集水空間内の清浄水が内筒内に逆流するのを防止して雨水の集水効率を上げることができる。
【発明を実施するための最良の形態】
【００１８】
以下、本発明実施の形態を図面に基づいて説明する。
【実施例１】
【００１９】
図１において、建物１の屋根２の下部近傍には雨樋３が配設されており、この雨樋３の適所には雨水Ｗを受けて流す縦樋４が接続されている。この縦樋４は、地中５に埋設された下水配管６に排水管７を介して連通していると共に、縦樋４の途中には雨水分離集水装置８の一部を構成している集水部としての集水器９が配設されている。
【００２０】
前記集水器９からは後述するようにして塵埃を分離除去された清浄水を集水するための集水管１０が配設されている。地中５に埋設された貯水タンク１１は、集水器９により集水された清浄水Ｗａを貯水するものであって、地面ＧＬまで延びるマンホール１２を有する。１２ｂは、マンホール１２の地面ＧＬへの開口端を開閉可能に閉塞しているマンホール蓋である。
【００２１】
上記集水管１０は、マンホール１２に清浄水Ｗａを排出するものである。また、貯水タンク１１内の清浄水Ｗａは、フィルタ１３を介して取水管１４により図示しないポンプを介して外部に取り出されるようになっている。
【００２２】
本発明に係わる雨水分離集水装置８は、縦樋４及びこれに配設された集水器９と、集水管１０及び貯水タンク１１等により構成されている。
【００２３】
図２（ａ）は、前記集水器９が配設されている縦樋４の形状を示している。すなわち、縦樋４の途中には、接続管１５と横引き配管１６とをエルボ１７によりそれぞれ接続してなるＶ字状部１８が形成されている。
【００２４】
接続管１５は下端に向かうにしたがって傾斜し、横引き配管１６は接続管１５と相対する方向及び下方に向けて傾斜している。前述した集水器９は、横引き配管１６に配設されている。なお、集水器９の勾配θａは０°〜３０°に設定されている。
【００２５】
また、図２（ｂ）は、図２（ａ）の接続管１５の代わりに可撓性のホース１９を用いてＶ字状部１８を形成した例を示している。
【００２６】
次に、上記集水器９の構成を図３により説明する。
【００２７】
集水器９は、前記縦樋４の横引き配管１６に連通すると共にフィルタ部２０を有するフィルタ筒としての内筒２１と、この内筒２１を覆う外筒２２と、上記内筒２１及び外筒２２の各端部にそれぞれ固定されている一対の端板２３，２４等を有している。
【００２８】
前記内筒２１と外筒２２との間には、適宜な間隔を有する集水空間２５が形成されている。なお、外筒２２の下部外周には前述の集水管１０が下向きに連通して設けられている。
【００２９】
また、横引き配管１６は上流側と下流側の２つの配管１６ａ，１６ｂに分割して構成されていて、それぞれの端部にはフランジ２６が形成されている。
【００３０】
上流側の配管１６ａには、キャップ２７の一端に形成された筒部２７ａが遊嵌されていて上記フランジ２６により抜け止めされている。下流側の配管１６ｂにも同様のキャップ２８の筒部２８ａが遊嵌されていてフランジ２６により抜け止めされている。
【００３１】
外筒２２の端板２３，２４には、雨水Ｗが通過するための穴２９がそれぞれ形成されており、さらに端板２３，２４の外周にはネジ３０がそれぞれ形成されている。キャップ２７，２８には上記ネジ３０に螺合可能なネジ３１がそれぞれ形成されている。
【００３２】
キャップ２７，２８のネジ３１を上記端板２３，２４のネジ３０にそれぞれ螺合させることにより端板２３とフランジ２６及び端板２４とフランジ２６が密着するようにして集水器９は横引き配管１６に配設されている。
【００３３】
次に、集水器９の内筒２１のフィルタ部２０について図４及び図５により説明する。
【００３４】
内筒２１のフィルタ部２０は、図４及び図５に示すように細い楔型をしたワイヤ（ファインウェッジワイヤという）３３を微細な目開き（スリット）３４をもって複数本配列したものからなっている。この目開き３４は、内筒２１の内側から外側に向かうにしたがって拡開している。
【００３５】
ファインウェッジワイヤ３３は、その長手方向の大きさは０．５〜１ｍｍであって、材料はＳＵＳ製である。ファインウェッジワイヤ３３の内面３３ａを連ねることにより仮想内面３５が構成されている。
【００３６】
前記目開き３４の大きさは１００〜３００μｍであって、目開き３４の配列方向は矢印３６で示す雨水Ｗ（図１参照）の流れ方向に対して略直角に配列されている。また、フィルタ部２０の流れ方向の長さは、１００〜３００ｍｍになっている。
【００３７】
また、図４及び図５に示すように、ファインウェッジワイヤ３３は、内面３３ａが内筒２１（図３参照）の中心と平行な仮想内面３５の垂直線３８に対して下流側に角度θｂだけ傾斜している。この角度θｂは、２〜２０°になっている。
【００３８】
ファインウェッジワイヤ３３をこのように傾斜させることにより、図５に示すファインウェッジワイヤ３３の内面３３ａは、上流側の角隅部Ａが下流側の角隅部Ｂよりも若干高くなっている。
【００３９】
このようにファインウェッジワイヤ３３を下流側に傾斜させることにより、ファインウェッジワイヤ３３の角隅部Ａが段部を形成することになる。そして、仮想内面３５に沿って流れる雨水Ｗは、角隅部Ａ（段部）に当たって矢印３９で示すように舞い上がるように方向を変えることになる。
【００４０】
このように、雨水Ｗが段部Ａ（上流側の角隅部）により舞い上がることにより、雨水Ｗに含まれる微細粒子がファインウェッジワイヤ３３間の目開き３４内に入って引っ掛かって目詰まりを生じるような不具合な現象は確実に防止されている。
【００４１】
この結果、集水器９の内筒２１は常に良好な集水性能を保持することができると共に、内筒２１に対する目詰まり除去のメンテナンスを略不必要とすることができる。
【００４２】
このように構成された雨水分離集水装置において、図１の屋根２に降り注ぐ雨水Ｗは雨樋３に沿って縦樋４に集められる。縦樋４を矢印４０で示すように流下する雨水Ｗは、図３の矢印３６で示すように集水器９の内筒２１内に流入する。
【００４３】
このように、内筒２１はフィルタ部２０を有すると共に、集水空間２５を有するので、内筒２１により濾過されて集水空間２５内に貯留している清浄水Ｗａは、図３の矢印４１で示すように集水管１０を通って図１の貯水タンク１１内に貯水される。
【００４４】
また、内筒２１は、雨水Ｗが上記のように内筒２１内を通過する際、内筒２１の全周において濾過作用が行われるフィルタ筒であるので、清浄水Ｗａの集水効率を高めることができる。
【００４５】
内筒２１内の雨水Ｗの一部、すなわち雨水Ｗの水量が多くてフィルタ部２０では濾過されなかった雨水Ｗは、内筒２１から配管１６ｂに図３の矢印４２で示すように排出された後、矢印４３で示したように排水管７（図１参照）に排出され、さらに下水配管６に排出される。
【００４６】
このとき、図３の内筒２１のフィルタ部２０により分離除去された落葉等の大きい塵埃及び微細粒子等の塵埃（図示せず）は、内筒２１内を流れる雨水Ｗにより図１の下水配管６へ排出される。
【００４７】
いま、仮にファインウェッジワイヤ３３が下流側に傾斜していないで、ファインウェッジワイヤ３３の内面３３ａが同一面にあるとすると、目開き３４の大きさと略同じ大きさの微細粒子が雨水Ｗと共に流れるときに、この微細粒子が目開き３４に引っ掛かって目開き３４の目詰まりを生じ、フィルタ部２０の集水効率を低下させることがある。
【００４８】
この点、本発明に係わるファインウェッジワイヤ３３は、上述したように下流側に傾斜していて段部（角隅部Ａ）を形成しているので、目開き３４と略同じ微細粒子が目開き３４に位置しても矢印３９で示す雨水Ｗの流れにより微細粒子が舞上げられて、微細粒子による目開き３４の目詰まりが防止される。
【００４９】
すなわち、内筒２１のフィルタ部２０は、多数の微細間隔の目開き３４を備えたファインウェッジワイヤ３３からなるフィルタ筒であるため、微細粒子を分離除去できると共に、集水効率が非常に高くなっている。
【００５０】
また、ファインウェッジワイヤ３３の目開き３４の目詰まりが上記のように防止されているので、ファインウェッジワイヤ３３により塵埃を分離除去された清浄水Ｗａを確実に集水できて、集水器９の集水効率を高めることが可能となっている。
【００５１】
図６は、ファインウェッジワイヤ３３が使用されている集水器９によって、流量に対する集水率及び流量に対する微細粒子除去率を測定した実験例のデータを示している。
【００５２】
〈実験例１〉
実験例１においては、次のような仕様に基づいて行われた結果を示している。
【００５３】
図１の縦樋４の内径がφ５０ｍｍの塩化ビニール管、
図３の集水器９のファインウェッジワイヤ３３（図５参照）は線径（断面長さ）０．７５ｍｍのＳＵＳ３１６で目開き３４が１００μｍ、
ファインウェッジワイヤ３３の傾斜角θｂが５°、
ファインウェッジワイヤ３３の有効長さ（図３の左右方向の長さ）が２００ｍｍであるとき、
実験例１は、雨水Ｗの流量が３Ｌ，１０Ｌ，２０Ｌ／分における集水率はそれぞれ８０％、８３％、８８％であり、流量１０Ｌ／分における微細粒子除去率が９５％であることを示している。
【００５４】
〈実験例２〉
実験例２においては、次のような仕様に基づいて行われた結果を示している。
【００５５】
縦樋４は内径がφ５０ｍｍの塩化ビニール管、
集水器９のファインウェッジワイヤ３３は線径０．７５ｍｍのＳＵＳ３１６で目開き３４が１５０ｍｍ、
ファインウェッジワイヤ３３の傾斜角θｂが５°、
ファインウェッジワイヤ３３の有効長さが２００ｍｍであるとき、
実験例２においては、雨水Ｗの流量が３Ｌ，１０Ｌ，２０Ｌ／分における集水率がそれぞれ８２％、８６％、９２％であり、流量１０Ｌ／分における微細粒子除去率が９５％であることを示している。
【００５６】
〈比較例１〉
比較例１においては、次のような仕様に基づいて行われた結果を示している。
【００５７】
縦樋４は内径がφ５０ｍｍの塩化ビニール管、
集水器９のファインウェッジワイヤ３３は、線径０．７５ｍｍのＳＵＳ３１６で目開き１５０μｍ、
ファインウェッジワイヤ３３の傾斜角θｂが１°、
ファインウェッジワイヤ３３の有効長さが２００ｍｍであるとき、
比較例１は、雨水Ｗの流量が３Ｌ，１０Ｌ，２０Ｌ／分における集水率がそれぞれ５０％、５２％であり、１０Ｌ／分における微細粒子除去率が９５％であることを示している。
【００５８】
〈比較例２〉
比較例２においては、従来知られている集水器の横引き配管（φ５０ｍｍ）の一部を拡開してＵ字状の濾過タンクに接続して集水率及び微細粒子除去率を測定した結果を示している。
【００５９】
図６に示すように、線径０．７５ｍｍで目開きが１００〜１５０μｍのファインウェッジワイヤ３３を５°傾斜させた図３の集水器９が好適な集水率及び微細粒子除去率を得ることができる。
【実施例２】
【００６０】
図７は本発明の実施例２に係わる集水器９Ａを示している。なお、本実施例２の集水器９Ａでは内筒２１の構成が実施例１と異なっていて、他は実施例１の図３に示すものと同じであるのでその説明は省略する。
【００６１】
図７に示す集水器９Ａは、下側に半円筒状のフィルタ部２０を有しており、このフィルタ部２０は図４〜図５で説明した実施例１のファインウェッジワイヤ３３と同様なものである。
【００６２】
また、内筒２１の上側は不透水性の半円筒部材４５からなっており、この半円筒部材４５と半円筒状のフィルタ部２０とを合体して円筒状の内筒２１が構成されている。このように、内筒２１の下側のみをファインウェッジワイヤ３３からなるフィルタ部２０とすることでも、集水器９Ａに流入する雨水Ｗを濾過して清浄水Ｗａを効率的に得ることができる。
【００６３】
なお、図９は説明を解り易くするために、実施例１及び実施例２における集水器９を模式的に示したものである。図９（ａ）は外筒２２内にファインウェッジワイヤ３３（図４、図４参照）からなる円筒状の内筒２１を配設した２重筒を示し、図９（ｂ）は外筒２２内に下部側が半円筒状のフィルタ部２０であって上部側が不透水性部材からなる半円筒部材４５を合体してなる内筒２１を備える２重筒を示している。
【実施例３】
【００６４】
図８は本発明の実施例３に係わる集水器９Ｂの下部側の一部を示している。なお、実施例１の図３に示すものと同じものは同じ符号を付してその説明は省略する。
【００６５】
前述した図３における集水器９において、集水器９の内筒２１内に流入する雨水Ｗの水量が多くて内筒２１により濾過された清浄水Ｗａが多いとき、例えば、集水空間２５内に滞留している清浄水Ｗａの水面５０が二点鎖線で示す位置にあるときには、集水管１０に集水する効率が低下する不具合がある。
【００６６】
すなわち、フィルタ部２０により濾過された清浄水Ｗａの全てが集水管１０により集水されることはなく、集水空間２５に滞留している清浄水Ｗａの一部がフィルタ部２０に各端部から再び内筒２１内に戻って集水効率を低下させることがある。
【００６７】
これを解消するために、実施例３においては図８に示すように集水器９Ｂの内筒２１の下端部の外周に不透水性部材４６が設けられている。この不透水性部材４６は、円筒部４７の一端側（図においては下端側）にフランジ４８を一体形成したものからなっている。
【００６８】
図８に示すように、集水器９Ｂの内筒２１Ｂの下端部に不透水性部材４６を配設したことによって、フィルタ部２０により濾過されて水面５０の高さまで集水空間２５内に滞留している清浄水Ｗａは、不透水性部材４６により内筒２１Ｂ内に戻るのが阻止されている。これにより、集水空間２５内の清浄水Ｗａの集水効率を高めることができる。
【００６９】
図１０（ａ）は、実施例３における集水器９Ｂを解りやすくするために模式的に示したものである。この集水器９Ｂは、下端部に不透水性部材４６を有する内筒２１Ｂが外筒２２内に収納されている２重筒からなっている。
【実施例４】
【００７０】
図１０（ｂ）は、本発明の実施例４に係わる集水器９Ｃの模式図を示している。本実施例における集水器９Ｃの内筒２１Ｃは、図７及び図９（ｂ）に示す集水器９Ａのように下部側に半円筒状のフィルタ部２０と上部側の半円筒部材４５とを合体して構成されている。
【００７１】
そして、集水器９Ｃは前記内筒２１Ｃのフィルタ部２０の各端部に不透水性部材５１を配設したものからなっている。この不透水性部材５１は、図１０（ａ）の不透水性部材４６を半分割したものからなっていて、半円筒部５２の一端部に半フランジ５３を一体形成してなっている。
【００７２】
このように、集水器９Ｃの下側のフィルタ部２０に対して不透水性部材５１を配設しても実施例３の集水器９Ｂと同様に集水器９Ｃの集水効率を上げることができる。
【００７３】
なお、図１に示す集水器９は、建物１の屋外（地上）に配設されている例を示したが、この集水器９を図１１に示すように貯水タンク１１に導通しているマンホール１２内に配設することも可能である。図１１における集水器９の拡大を図１２に示す。
【００７４】
図１２に示すように、集水器９はマンホール１２内に延出している横引き配管１６の配管１６ａ，１６ｂにそれぞれ接続されており、この集水器９の接続方法は図３の集水器９と同様であるのでその説明は省略する。なお、集水器９は勾配θａをもって配設されている。
【００７５】
集水器９の下方には、マンホール１２内に設けられている段部１２ａ上に載置された中蓋５５が配設されている。集水器９の集水管１０は、中蓋５５を貫通して図１１の貯水タンク１１に導通している。
【００７６】
なお、図１１の縦樋４を流下する雨水Ｗは、図１の集水器９と同様に集水器９により濾過されて清浄水Ｗａが貯水タンク１１内へ貯留されると共に、濾過されない雨水Ｗは矢印４３で示すように排水管７を通って下水配管６に排水される。
【実施例５】
【００７７】
図１３〜図１５は、マンホール１２内に配設された実施例５に係わる集水器９Ｄを示している。この集水器９Ｄは、落とし蓋６０の中央部（直径方向に沿う位置）に半円筒状のフィルタ部２０を固設して、落とし蓋６０とフィルタ部２０とを一体形成したものからなっている。前記フィルタ部２０は、上方に凹状に湾曲して配設されている。
【００７８】
なお、上記フィルタ部２０は図４〜図５に示すファインウェッジワイヤ３３から構成されていて、効率的に集水できると共に微細粒子を濾過することができるようになっている。
【００７９】
マンホール１２の内面には１対の半リング状のストッパ６１が各端部に間隙をもたせて対向させて固設されている。すなわち、上記ストッパ６１は落とし蓋６０のフィルタ部２０を除く部分の下面を支持するような形状をしていると共に、図１４に示すように勾配θａをもって傾斜して設けられている。なお、勾配θａは、０°〜３０°である。
【００８０】
集水器９Ｄの落とし蓋６０は、マンホール１２の上部から挿入して上記ストッパ６１に載置することでマンホール１２内に配設することができる。
【００８１】
横引き配管１６の配管１６ａ，１６ｂは、地中５に勾配θａだけ傾斜して埋設されていて、その各端部はマンホール１２内に対向して露出している。そして、落とし蓋６０をストッパ６１上に落とし込むことにより、フィルタ部２０の各端部は配管１６ａ，１６ｂの下側端部と一致するようになっている。
【００８２】
なお、ストッパ６１とこれに載置される落とし蓋６０との間にシール部材（図示せず）を設けてもよい。
【００８３】
このように構成された集水器９Ｄにおいて、図１１の縦樋４を流下する雨水Ｗが図１３及び図１４に示すように横引き配管１６の配管１６ａからフィルタ部２０に流入すると、フィルタ部２０により濾過された清浄水Ｗａは下方の貯水タンク１１（図１１参照）に貯留され、フィルタ部２０により濾過されない雨水Ｗは配管１６ｂを経て下水配管６（図１１参照）に排出される。
【００８４】
このように、フィルタ部２０で濾過された清浄水Ｗａを直接貯水タンク１１内に集水することで、フィルタ部２０による集水効率を高めることができる。また、マンホール１２に対する集水器９Ｄの配設は、集水器９Ｄの落とし蓋６０をストッパ６１上に載置して行われるので、集水器９Ｄの配設を容易に行うことができる。
【００８５】
なお、上記実施例５においては、集水器９Ｄの集水部としてのフィルタ部２０は、上方に開口している半円筒状のものからなっているが、これの代わりに、図９（ｂ）のようにフィルタ部２０の上部側を半円筒状の半円筒部材４５で覆って形成した円筒部材（図示せず）を用いてもよいことは勿論である。
【００８６】
上述したように、図１の縦樋４を流下する雨水Ｗを濾過する集水器９を、図３のフィルタ部２０を有する内筒２１及び不透水性部材の外筒２２との２重構造にしてあるので、集水器９による雨水Ｗの集水効率を高めることができる。
【００８７】
また、フィルタ部２０が微細粒子を分離除去可能なファインウェッジワイヤ３３（図４、図５参照）により構成しているので、雨水Ｗに含まれる微細粒子が除去された適正な清浄水Ｗａを得ることができ、さらに、ファインウェッジワイヤ３３を雨水Ｗの流下方向に対して角度θｂで傾斜しているので、ファインウェッジワイヤ３３の目開き３４における微細粒子の目詰まりを効率的に防止することができる。
【００８８】
以上、図面を参照して、本発明の実施の形態及び実施例を詳述してきたが、具体的な構成は、この実施の形態に限らず、本発明の要旨を逸脱しない程度の設計的変更は、本発明に含まれるものである。
【図面の簡単な説明】
【００８９】
【図１】本発明の実施例１に係わる雨水分離集水装置が適用されている建物及び貯水タンクの正面図である。
【図２】（ａ）は集水器が設けられている縦樋下部の正面図、（ｂ）は集水器が設けられている縦樋下部の別の例を示す正面図である。
【図３】集水器の横断側面図である。
【図４】ファインウェッジワイヤの横断側面図である。
【図５】図４のファインウェッジワイヤの拡大詳細図である。
【図６】集水器による集水率及び微細粒子除去率の実施例及び比較例を表にした図である。
【図７】本発明の実施例２に係わる集水器の横断側面図である。
【図８】本発明の実施例３に係わる集水器下部の拡大図である。
【図９】（ａ）は実施例１に係わる内筒及び外筒の模式図、（ｂ）は実施例２に係わる内筒及び外筒の模式図である。
【図１０】（ａ）は実施例３に係わる内筒及び外筒の模式図、（ｂ）は実施例４に係わる内筒及び外筒の模式図である。
【図１１】集水器９の別の配置例を示す建物及び貯水タンクの正面図である。
【図１２】図１１に示す集水器の拡大図である。
【図１３】本発明の実施例５に係わる集水器の斜視図である。
【図１４】図１３のＡ−Ａ線断面矢視図である。
【図１５】図１４のＢ−Ｂ線断面矢視図である。
【符号の説明】
【００９０】
Ｗ              雨水
Ｗａ            清浄水
１              建物
３              横樋
４              縦樋
８              雨水分離集水装置
９，９Ａ〜９Ｄ    集水器
１１            貯水タンク
２０            フィルタ部
２１，２１Ａ〜２１Ｃ    内筒
２２            外筒
２５            集水空間
４６            不透水性部材
５１            不透水性部材
【図１】
2006104851.tif 000003
【図２】
2006104851.tif 000004
【図３】
2006104851.tif 000005
【図４】
2006104851.tif 000006
【図５】
2006104851.tif 000007
【図６】
2006104851.tif 000008
【図７】
2006104851.tif 000009
【図８】
2006104851.tif 000010
【図９】
2006104851.tif 000011
【図１０】
2006104851.tif 000012
【図１１】
2006104851.tif 000013
【図１２】
2006104851.tif 000014
【図１３】
2006104851.tif 000015
【図１４】
2006104851.tif 000016
【図１５】
2006104851.tif 000017